(57)【要約】  ユーザが注目するシーンの詳細を把握でき、その他のシーンの概要を把握することのできる表示制御装置、表示制御方法及び表示制御プログラムを提供する。  表示制御装置１０は、イベントと関連付けられたフレームの集合であるイベントフレーム群を含む動画を取得する動画取得部２５と、１又は複数のイベントの選択をユーザより受け付けるイベント選択受付部２２と、イベントフレーム群のうちイベント選択受付部２２により受け付けた選択に係る１又は複数のイベントに関連付けられた第１フレーム群の再生速度が、第１フレーム群以外の第２フレーム群の再生速度と異なるように動画を表示させる動画表示制御部２１ａと、を備える。
2018110298.tif 000002
【特許請求の範囲】
【請求項１】
イベントと関連付けられたフレームの集合であるイベントフレーム群を含む動画を取得する動画取得部と、
１又は複数のイベントの選択をユーザより受け付けるイベント選択受付部と、
前記イベントフレーム群のうち前記イベント選択受付部により受け付けた選択に係る１又は複数のイベントに関連付けられた第１フレーム群の再生速度が、前記第１フレーム群以外の第２フレーム群の再生速度と異なるように前記動画を表示させる動画表示制御部と、
を備える表示制御装置。
【請求項２】
前記動画の第１再生速度を受け付ける再生速度受付部をさらに備え、
前記動画表示制御部は、前記動画の長さ及び前記第１再生速度に基づいて算出される全体の再生時間で前記動画が表示されるように、前記第２フレーム群を前記第１再生速度よりも速い第２再生速度で表示させ、前記第１フレーム群を前記第２再生速度よりも遅い再生速度で表示させる、
請求項１に記載の表示制御装置。
【請求項３】
前記第１フレーム群の再生速度と前記第２フレーム群の再生速度との１又は複数の速度比を受け付ける速度比受付部をさらに備える、
請求項２に記載の表示制御装置。
【請求項４】
前記イベントに関するシーンが前記動画全体に占める割合、前記動画の長さ及び前記１又は複数の速度比に基づいて、前記動画の再生速度に応じて目盛間隔が不等間隔となるように、前記動画の時間経過を示す目盛を表示させる目盛表示制御部をさらに備える、
請求項３に記載の表示制御装置。
【請求項５】
前記動画の表示に伴って前記目盛に沿って移動するスライダを、前記動画の再生速度の変化に関わらず一定速度で移動するように表示させるスライダ表示制御部をさらに備える、
請求項４に記載の表示制御装置。
【請求項６】
前記動画の再生速度の変化を可視化したエフェクトを、前記目盛に沿って表示させるエフェクト表示制御部をさらに備える、
請求項４又は５に記載の表示制御装置。
【請求項７】
前記速度比受付部により受け付けた前記１又は複数の速度比が変更された場合に、前記目盛表示制御部は、前記１又は複数の速度比の変更に応じて前記目盛間隔が変化するように前記目盛を表示させる、
請求項４から６のいずれか１項に記載の表示制御装置。
【請求項８】
前記再生速度受付部により受け付けた前記第１再生速度が変更された場合に、前記目盛表示制御部は、前記第１再生速度の変化に関わらず、前記目盛間隔が変化しないように前記目盛を表示させる、
請求項２から７のいずれか１項に記載の表示制御装置。
【請求項９】
イベントと関連付けられたフレームの集合であるイベントフレーム群を含む動画を取得する第１ステップと、
１又は複数のイベントの選択をユーザより受け付ける第２ステップと、
前記イベントフレーム群のうち前記第２ステップにより受け付けた選択に係る１又は複数のイベントに関連付けられた第１フレーム群の再生速度が、前記第１フレーム群以外の第２フレーム群の再生速度と異なるように前記動画を表示させる第３ステップと、
を含む表示制御方法。
【請求項１０】
コンピュータを、
イベントと関連付けられたフレームの集合であるイベントフレーム群を含む動画を取得する動画取得部と、
１又は複数のイベントの選択をユーザより受け付けるイベント選択受付部と、
前記イベントフレーム群のうち前記イベント選択受付部により受け付けた選択に係る１又は複数のイベントに関連付けられた第１フレーム群の再生速度が、前記第１フレーム群以外の第２フレーム群の再生速度と異なるように前記動画を表示させる動画表示制御部と、
として機能させる表示制御プログラム。
【発明の詳細な説明】
【関連出願の相互参照】
【０００１】
本出願は、２０１６年１２月１３日に出願された日本出願番号特願２０１６−２４１４４６号に基づくもので、ここにその記載内容を援用する。
【技術分野】
【０００２】
本発明は、表示制御装置、表示制御方法及び表示制御プログラムに関する。
【背景技術】
【０００３】
近年、カメラの小型化及び軽量化が進み、様々な場所にカメラが設置され、動画が撮影されている。例えば、体に装着して一人称視点映像を継続的に撮影することのできるウェアラブルカメラが普及し始めている。撮影された長時間の動画は、早送りにより確認される場合がある。【０００４】
動画の高速再生処理に関し、特許文献１には、入力された動画に基づいて平滑化したカメラパスを算出し、揺れを低減した動画を出力する計算システムが記載されている。
また、非特許文献１には、特定のイベントに関するシーンを相対的に遅く再生し、その他のシーンを相対的に速く再生する動画プレーヤーが記載されている。
【先行技術文献】
【特許文献】
【０００５】
【特許文献１】米国特許第２０１５／０２４８９１６号明細書
【非特許文献】
【０００６】
【非特許文献１】Kai-Yin Cheng、他３名、“SmartPlayer: User-Centric Video Fast-Forwarding”、２００９年４月４日、ＣＨＩ２００９、インターネット（ＵＲＬ：http://vc.cs.nthu.edu.tw/home/paper/codfiles/klhsueh/201103100947/SmartPlayer, User-Centric Video Fast-Forwarding.pdf）
【発明の概要】
【発明が解決しようとする課題】
【０００７】
特許文献１に記載の技術によれば、例えばウェアラブルカメラによって撮影された動画等、揺れを含む動画であっても、早送りによる揺れの増幅を抑え、比較的揺れの少ない早送り動画を生成することができる。また、非特許文献１に記載の技術によれば、特定のイベントに関するシーンの詳細を確認し、その他のシーンの概要を把握することができる。【０００８】
しかしながら、非特許文献１における特定のイベントは、予め定められたものであるため、特定のシーン以外のシーンについて詳細を把握しようとする場合、相対的に速く再生される動画を観察することになり、内容の把握が困難となる場合があった。【０００９】
そこで、本発明は、ユーザが注目するシーンの詳細を把握でき、その他のシーンの概要を把握することのできる表示制御装置、表示制御方法及び表示制御プログラムを提供する。
【課題を解決するための手段】
【００１０】
本発明の一態様に係る表示制御装置は、イベントと関連付けられたフレームの集合であるイベントフレーム群を含む動画を取得する動画取得部と、１又は複数のイベントの選択をユーザより受け付けるイベント選択受付部と、イベントフレーム群のうちイベント選択受付部により受け付けた選択に係る１又は複数のイベントに関連付けられた第１フレーム群の再生速度が、第１フレーム群以外の第２フレーム群の再生速度と異なるように動画を表示させる動画表示制御部と、を備える。【００１１】
この態様によれば、動画を構成するフレームにイベントが関連付けられていることで、動画からユーザの注目するシーンを選び出すことができる。そして、ユーザの選択に係る１又は複数のイベントに関連付けられた第１フレーム群が、その他のフレーム群である第２フレーム群と異なる速度で表示されることで、ユーザが注目するシーンの詳細を把握でき、その他のシーンの概要を把握することができる。【００１２】
上記態様において、動画の第１再生速度を受け付ける再生速度受付部をさらに備え、動画表示制御部は、動画の長さ及び第１再生速度に基づいて算出される全体の再生時間で動画が表示されるように、第２フレーム群を第１再生速度よりも速い第２再生速度で表示させ、第１フレーム群を第２再生速度よりも遅い再生速度で表示させてもよい。【００１３】
この態様によれば、第１再生速度の設定に応じて全体の再生時間が定められ、設定された全体の再生時間内に収まるように、選択されたイベントに関するシーンが相対的に遅く表示され、その他のシーンは相対的に速く表示される。そのため、予め定めた時間内に、ユーザが注目するシーンの詳細を把握でき、その他のシーンの概要を把握することができる。【００１４】
上記態様において、第１フレーム群の再生速度と第２フレーム群の再生速度との１又は複数の速度比を受け付ける速度比受付部をさらに備えてもよい。【００１５】
この態様によれば、選択されたイベントに関するシーンの再生速度とその他のシーンの再生速度の速度比が設定され、注目度に応じてイベントに関するシーンの再生速度を調整することができる。【００１６】
上記態様において、イベントに関するシーンが動画全体に占める割合、動画の長さ及び１又は複数の速度比に基づいて、動画の再生速度に応じて目盛間隔が不等間隔となるように、動画の時間経過を示す目盛を表示させる目盛表示制御部をさらに備えてもよい。【００１７】
この態様によれば、動画を再生しなくとも、選択されたイベントに関するシーンとその他のシーンの再生速度の差を直感的に把握することができる。【００１８】
上記態様において、動画の表示に伴って目盛に沿って移動するスライダを、動画の再生速度の変化に関わらず一定速度で移動するように表示させるスライダ表示制御部をさらに備えてもよい。【００１９】
この態様によれば、動画を再生しなければ動きが把握できないスライダの移動速度を一定とし、動画を再生しなくとも全容が把握できる目盛によって再生速度の変化を表すことで、動画を再生しなくとも選択されたイベントに関するシーンとその他のシーンの再生速度の差を把握することができる。【００２０】
上記態様において、動画の再生速度の変化を可視化したエフェクトを、目盛に沿って表示させるエフェクト表示制御部をさらに備えてもよい。【００２１】
この態様によれば、動画を再生しなくとも、選択されたイベントに関するシーンとその他のシーンの再生速度の相対的な差と、絶対的な再生速度の差を把握することができる。【００２２】
上記態様において、速度比受付部により受け付けた１又は複数の速度比が変更された場合に、目盛表示制御部は、１又は複数の速度比の変更に応じて目盛間隔が変化するように目盛を表示させてもよい。【００２３】
この態様によれば、動画を再生しなくとも、選択されたイベントに関するシーンとその他のシーンの再生速度の差が、速度比の変更に応じてどのように変化するか直感的に把握することができる。【００２４】
上記態様において、再生速度受付部により受け付けた第１再生速度が変更された場合に、目盛表示制御部は、第１再生速度の変化に関わらず、目盛間隔が変化しないように目盛を表示させてもよい。【００２５】
この態様によれば、全体の再生時間が変更された場合であっても、選択されたシーンの再生速度とその他のシーンの再生速度の速度比が一定であることを直感的に把握することができる。【００２６】
本発明の一態様に係る表示制御方法は、イベントと関連付けられたフレームの集合であるイベントフレーム群を含む動画を取得する第１ステップと、１又は複数のイベントの選択をユーザより受け付ける第２ステップと、イベントフレーム群のうち第２ステップにより受け付けた選択に係る１又は複数のイベントに関連付けられた第１フレーム群の再生速度が、第１フレーム群以外の第２フレーム群の再生速度と異なるように動画を表示させる第３ステップと、を含む。【００２７】
この態様によれば、動画を構成するフレームにイベントが関連付けられていることで、動画からユーザの注目するシーンを選び出すことができる。そして、ユーザの選択に係る１又は複数のイベントに関連付けられた第１フレーム群が、その他のフレーム群である第２フレーム群と異なる速度で表示されることで、ユーザが注目するシーンの詳細を把握でき、その他のシーンの概要を把握することができる。【００２８】
本発明の一態様に係る表示制御プログラムは、コンピュータを、イベントと関連付けられたフレームの集合であるイベントフレーム群を含む動画を取得する動画取得部と、１又は複数のイベントの選択をユーザより受け付けるイベント選択受付部と、イベントフレーム群のうちイベント選択受付部により受け付けた選択に係る１又は複数のイベントに関連付けられた第１フレーム群の再生速度が、第１フレーム群以外の第２フレーム群の再生速度と異なるように動画を表示させる動画表示制御部と、として機能させる。【００２９】
この態様によれば、動画を構成するフレームにイベントが関連付けられていることで、動画からユーザの注目するシーンを選び出すことができる。そして、ユーザの選択に係る１又は複数のイベントに関連付けられた第１フレーム群が、その他のフレーム群である第２フレーム群と異なる速度で表示されることで、ユーザが注目するシーンの詳細を把握でき、その他のシーンの概要を把握することができる。
【図面の簡単な説明】
【００３０】
【図１】本発明の実施形態に係る表示制御装置の物理的構成を示す図である。
【図２】本発明の実施形態に係る表示制御装置の機能ブロック図である。
【図３】本発明の実施形態に係る表示制御装置により取得される動画の構成を示す図である。
【図４】本発明の実施形態に係る表示制御装置により表示される表示画面の第１例を示す図である。
【図５】本発明の実施形態に係る表示制御装置により実行される動画表示処理のフローチャートである。
【図６】本発明の実施形態に係る表示制御装置により表示される表示画面の第２例を示す図である。
【図７】本発明の実施形態に係る表示制御装置により実行される速度比変更処理のフローチャートである。
【図８】本発明の実施形態に係る表示制御装置により実行される第１早送り速度変更処理のフローチャートである。
【図９】本発明の実施形態に係る表示制御装置により表示される表示画面の第３例を示す図である。
【図１０】本発明の実施形態に係る表示制御装置により実行される選択イベント追加処理のフローチャートである。
【発明を実施するための形態】
【００３１】
添付図面を参照して、本発明の実施形態について説明する。なお、各図において、同一の符号を付したものは、同一又は同様の構成を有する。
【００３２】
図１は、本発明の実施形態に係る表示制御装置１０の物理的構成を示す図である。表示制御装置１０は、ＣＰＵ（Central Processing Unit）１１と、ＲＡＭ（Random Access Memory）１２と、ＲＯＭ（Read only Memory）１３と、通信インターフェース１４と、入力部１５と、表示部１６とを有する。これら各構成は、バスを介して相互にデータ送受信可能に接続される。
【００３３】
ＣＰＵ１１は、ＲＡＭ１２又はＲＯＭ１３に記憶された動画の表示に関する制御やデータの演算、加工を行う制御部である。ＣＰＵ１１は、動画を表示するためのアプリケーションプログラムを実行する演算装置である。ＣＰＵ１１は、入力部１５や通信インターフェース１４から種々の入力データを受け取り、入力データの演算結果を表示部１６に表示したり、ＲＡＭ１２やＲＯＭ１３に格納したりする。
【００３４】
ＲＡＭ１２は、データの書き換えが可能な記憶部であり、例えば半導体記憶素子で構成される。ＲＡＭ１２は、ＣＰＵ１１が実行するアプリケーションソフトウェア等のプログラムやデータを記憶する。
【００３５】
ＲＯＭ１３は、データの読み出しのみが可能な記憶部であり、例えば半導体記憶素子で構成される。ＲＯＭ１３は、例えばファームウェア等のプログラムやデータを記憶する。
【００３６】
通信インターフェース１４は、表示制御装置１０を通信ネットワークに接続するインターフェースであり、例えば、有線又は無線回線のデータ伝送路により構成されたＬＡＮ（Local Area Network）、ＷＡＮ（Wide Area Network）等の通信ネットワークに接続される。
【００３７】
入力部１５は、ユーザからデータの入力を受け付けるものであり、例えば、キーボードやマウス、タッチパネルで構成される。
【００３８】
表示部１６は、ＣＰＵ１１による演算結果を視覚的に表示するものであり、例えば、ＬＣＤ（Liquid Crystal Display）により構成されて、動画を表示する。
【００３９】
表示制御装置１０は、一般のパーソナルコンピュータやスマートフォンのＣＰＵ１１によって本実施形態に係る動画表示制御プログラムを実行することで構成されてよい。動画表示制御プログラムは、ＲＡＭ１２やＲＯＭ１３等のコンピュータによって読み取り可能な記憶媒体に記憶されて提供されてもよいし、通信インターフェース１４により接続される通信ネットワークを介して提供されてもよい。
【００４０】
図２は、本発明の実施形態に係る表示制御装置１０の機能ブロック図である。表示制御装置１０は、入力部１５及び表示部１６の他、再生速度受付部２０、表示制御部２１、イベント選択受付部２２、速度比受付部２３及び動画取得部２５を備える。
【００４１】
イベント選択受付部２２は、１又は複数のイベントの選択をユーザより受け付ける。イベント選択受付部２２は、入力部１５によりユーザによって入力された１又は複数のイベントの選択を受け付ける。ここで、イベントとは、特定の対象又は動作に関する出来事をいう。イベント選択受付部２２は、ユーザが注目する対象や動作の選択をユーザから受け付ける。本実施形態では、イベント選択受付部２２が、動作イベント、停止イベント、ハンドイベント及び人物イベントのうちから１又は複数のイベントの選択を受け付ける場合について説明する。動作イベントは、動画を撮影するカメラの移動という出来事であり、停止イベントは、動画を撮影するカメラの停止という出来事である。また、ハンドイベントは、動画の撮影者の手（腕、指）に関する出来事であり、人物イベントは、動画の撮影者と人が対峙しているという出来事である。
【００４２】
動画取得部２５は、イベントと関連付けられたフレームの集合であるイベントフレーム群を含む動画を取得する。本実施形態において、動画は、表示制御装置１０の外部に置かれた動画記憶部３０に記憶されており、動画取得部２５は、動画記憶部３０より動画を取得する。もっとも、動画記憶部３０は表示制御装置１０に備えられたものであってもよい。また、動画取得部２５は、通信インターフェース１４によって、通信ネットワークを介して動画を取得してもよい。また、動画取得部２５は、イベントとの関連付けを有さない動画を動画記憶部３０から取得して、当該動画に含まれるフレームを解析し、イベントとの関連付けを行って、イベントフレーム群を含む動画に変換することとしてもよい。
【００４３】
表示制御部２１は、動画や動画に関するＵＩ（User Interface）を表示部１６に表示させる。表示制御部２１は、動画表示制御部２１ａと、目盛表示制御部２１ｂと、スライダ表示制御部２１ｃと、エフェクト表示制御部２１ｄと、を含む。動画表示制御部２１ａは、イベントフレーム群のうちイベント選択受付部２２により受け付けた選択に係る１又は複数のイベントに関連付けられた第１フレーム群の再生速度が、第１フレーム群以外の第２フレーム群の再生速度よりも遅くなるように動画を表示させる。
【００４４】
目盛表示制御部２１ｂは、動画の時間経過を示す目盛を表示させる。目盛表示制御部２１ｂは、イベントに関するシーンが動画全体に占める割合、動画の長さ及び速度比受付部２３により受け付ける第１フレーム群の再生速度と第２フレーム群の再生速度との１又は複数の速度比に基づいて、動画の再生速度に応じて目盛間隔が不等間隔となるように、目盛を表示させる。
【００４５】
スライダ表示制御部２１ｃは、動画の表示に伴って目盛に沿って移動するスライダを、動画の再生速度の変化に関わらず一定速度で移動するように表示させる。エフェクト表示制御部２１ｄは、動画の再生速度の変化を可視化したエフェクトを、目盛に沿って表示させる。
【００４６】
再生速度受付部２０は、動画の第１再生速度を受け付ける。本明細書では、第１再生速度が、動画の通常の再生速度（例えば１秒間に３０フレームを表示する再生速度）よりも速い第１早送り速度ｖ１である場合について説明する。もっとも、第１再生速度は、動画の通常の再生速度以下の再生速度であってもよい。動画表示制御部２１ａは、動画の長さ及び第１再生速度に基づいて算出される全体の再生時間で動画が表示されるように、第２フレーム群を第１再生速度よりも速い第２再生速度で表示させ、第１フレーム群を第２再生速度よりも遅い再生速度で表示させる。本明細書では、第２再生速度が、第１早送り速度ｖ１よりも速い第２早送り速度ｖ２である場合について説明する。また、本明細書では、第１フレーム群の再生速度が、第２早送り速度ｖ２よりも遅い速度であって、選択に係るイベントに関するシーンの再生速度ｖｅである場合について説明する。
【００４７】
図３は、本発明の実施形態に係る表示制御装置１０により取得される動画ＭＶの構成を示す図である。動画ＭＶは、複数枚のフレームＦＲ（静止画）から構成されており、複数枚のフレームＦＲの集合であるフレーム群を含む。同図では、フレームＦＲが再生順に左から右へ並んで動画ＭＶが構成される様子を示している。フレーム群は、イベントに関連付けられたフレームの集合であるイベントフレーム群と、非イベントフレーム群ＭＶ１０（イベントに関連付けられていないフレームの集合）とに大別される。本例の動画ＭＶの場合、イベントフレーム群は、ハンドイベントフレーム群ＭＶ１１と、人物イベントフレーム群ＭＶ１２と、を含む。なお、本例では、イベントフレーム群として、ハンドイベントフレーム群ＭＶ１１と、人物イベントフレーム群ＭＶ１２という２種類のフレーム群を例示したが、動画ＭＶには、３種類以上のフレーム群が含まれてもよいし、非イベントフレーム群が含まれていなくてもよい。例えば、動画を撮影するカメラの移動という出来事を表す動作イベントと、カメラの停止という出来事を表す停止イベントとについて、動画を構成するフレームは、動作イベントフレーム群と停止イベントフレーム群とに二分されることになる。
【００４８】
本例の動画ＭＶは、動画の再生順に、非イベントフレーム群ＭＶ１０、ハンドイベントフレーム群ＭＶ１１、非イベントフレーム群ＭＶ１０、人物イベントフレーム群ＭＶ１２、非イベントフレーム群ＭＶ１０及びハンドイベントフレーム群ＭＶ１１を含んで構成されている。ハンドイベントフレーム群ＭＶ１１に含まれる複数のフレームＦＲには、ハンドタグＴＧ１が付与されており、人物イベントフレーム群ＭＶ１２には、人物タグＴＧ２が付与されている。動画ＭＶは、フレームＦＲ毎に、ハンドタグＴＧ１や人物タグＴＧ２等のイベントタグが付与され、フレームＦＲとイベントの関連付けが行われた状態で、動画記憶部３０に記憶される。イベントタグの付与は、必ずしもフレーム毎に行われなくてもよく、イベントタグが付与されるフレーム番号の指定によって行ったり、フレーム群毎に行ったりしてもよい。また、動画を構成するフレームとイベントとの関連付けは、タグ付け以外の方法により行ってもよく、例えば、フレームとイベントの対応表を動画に関連付けて記憶することにより行ってもよい。
【００４９】
動画ＭＶは、予めフレーム毎に解析されて、イベントと関連付けされた状態で動画記憶部３０に記憶されているものであってよい。ただし、動画ＭＶは、動画記憶部３０に記憶されている際にイベントと関連付けされた状態にあるものばかりでなく、動画取得部２５によって取得された後、表示制御装置１０によってフレームの解析を行い、イベントとの関連付けを行って、イベントと関連付けされた状態に変換されたものであってもよい。表示制御装置１０によって動画の元データを解析し、イベントと関連付けされた状態に変換することとしてもよい。また、フレームとイベントの関連付けは、フレームとイベントの合致度をフレームに関連付けることにより行ってもよい。合致度は、１枚又は１群のフレームに対して複数のイベントに関して算出されるものであってよい。
【００５０】
図４は、本発明の実施形態に係る表示制御装置１０により表示される表示画面ＤＰの第１例を示す図である。表示画面ＤＰは、動画表示画面ＤＰ１、動画選択画面ＤＰ２、目盛ＤＰ３、動作キューＤＰ２１、停止キューＤＰ２２、ハンドキューＤＰ２３、人物キューＤＰ２４、第１早送り速度設定スライダＤＰ３０及び再生スライダＤＰ４０を含む。本明細書では、図３に示す動画ＭＶが動画取得部２５によって取得され、表示される場合について説明する。すなわち、以下では、再生順に、非イベントフレーム群ＭＶ１０、ハンドイベントフレーム群ＭＶ１１、非イベントフレーム群ＭＶ１０、人物イベントフレーム群ＭＶ１２、非イベントフレーム群ＭＶ１０及びハンドイベントフレーム群ＭＶ１１を含む動画ＭＶを表示する場合について説明する。
【００５１】
動画表示画面ＤＰ１は、動画を表示する表示領域である。動画表示画面ＤＰ１には、動画表示制御部２１ａによって動画が表示される。動画選択画面ＤＰ２は、動画表示画面ＤＰ１に表示中の動画以外の動画を選択するための表示領域である。本例では、動画選択画面ＤＰ２に４つの動画のサムネイルが表示されているが、動画選択画面ＤＰ２には３つ以下又は５つ以上の動画のサムネイルが表示されてもよいし、テキスト情報が表示されてもよい。
【００５２】
目盛ＤＰ３は、目盛表示制御部２１ｂによって表示され、動画の時間経過を示す。図４に示す例の場合、目盛ＤＰ３は、動画の再生順に、非イベント区間の第１例ＤＰ１０ａ、ハンドイベント区間の第１例ＤＰ１１ａ、非イベント区間の第１例ＤＰ１０ａ及びハンドイベント区間の第１例ＤＰ１１ａを含む。これらの各区間は、動画に含まれるフレーム群に対応している。
【００５３】
目盛表示制御部２１ｂは、動画の再生速度に応じて目盛間隔が不等間隔となるように目盛ＤＰ３を表示させる。本例の場合、動画表示制御部２１ａは、ハンドイベントに関するシーンをその他のシーンよりも遅く表示するため、目盛表示制御部２１ｂは、ハンドイベント区間の第１例ＤＰ１１ａの目盛間隔を、非イベント区間の第１例ＤＰ１０ａの目盛間隔よりも広く表示させる。このように、目盛間隔が不等間隔で表示されることで、動画を再生しなくとも、選択されたイベントに関するシーンとその他のシーンの再生速度の差を直感的に把握することができる。
【００５４】
目盛ＤＰ３上には、目盛ＤＰ３に沿って、動画の再生速度の変化を可視化したハンドイベントのエフェクトＤＰ１１ｅがエフェクト表示制御部２１ｄによって表示される。図４では、ハンドイベントのエフェクトＤＰ１１ｅは、再生速度が遅い箇所ほど濃く、再生速度が速い箇所ほど薄くなるように表示されている。エフェクトの濃さ（薄さ）は、再生速度の絶対値に応じて変化させてよい。エフェクト表示制御部２１ｄによってエフェクトが表示されることで、動画を再生しなくとも、選択されたイベントに関するシーンとその他のシーンの再生速度の相対的な差と、絶対的な再生速度の差を把握することができる。
【００５５】
動作キューＤＰ２１、停止キューＤＰ２２、ハンドキューＤＰ２３及び人物キューＤＰ２４は、ユーザからそれぞれ動作イベント、停止イベント、ハンドイベント及び人物イベントの選択を受け付けるイベント選択受付部２２として機能する。動作キューＤＰ２１は、動画を撮影するカメラが移動していると判定されるフレームを選び出すものであり、停止キューＤＰ２２は、動画を撮影するカメラが停止していると判定されるフレームを選び出すものである。また、ハンドキューＤＰ２３は、動画の撮影者の手（腕、指）が映っていると判定されるフレームを選び出すものであり、人物キューＤＰ２４は、動画の撮影者と対峙する人の全身、上半身、下半身又は顔が映っていると判定されるフレームを選び出すものである。本例の場合、ハンドキューＤＰ２３により選び出されるフレームは、人物キューＤＰ２４により選び出されるフレームと重複しない。図３に示す動画ＭＶの場合、ハンドキューＤＰ２３は、ハンドイベントフレーム群ＭＶ１１を選び出すものであり、人物キューＤＰ２４は、人物イベントフレーム群ＭＶ１２を選び出すものである。イベント選択受付部２２は、動画のフレームに関連付けられた、フレームとイベントの合致度に基づいて、ユーザの選択に係るイベントに対応するフレーム群を選び出してもよい。
【００５６】
動作キューＤＰ２１、停止キューＤＰ２２、ハンドキューＤＰ２３及び人物キューＤＰ２４は、それぞれスライダを含む。各スライダは、速度比受付部２３として機能し、各スライダを０から１までの間で動かすことで、選択されたイベントに関するシーンを構成する第１フレーム群の再生速度とその他のシーンを構成する第２フレーム群の再生速度との速度比を調整することができる。スライダが０の位置にある場合、当該イベントはイベント選択受付部２２による受け付けた選択に含まれないイベントとなり、当該イベントに関するシーンは、非イベントシーンと同じ再生速度（第２早送り速度ｖ２）で表示される。また、スライダが０より大きい位置にある場合、当該イベントはイベント選択受付部２２により受け付けた選択に係るイベントとなり、当該イベントに関するシーンは、非イベントシーンより遅い再生速度（選択に係るイベントに関するシーンの再生速度ｖｅ）で表示される。スライダが指す数値が大きいほど、第２早送り速度ｖ２を再生速度ｖｅで割った速度比ｒが大きく設定される。例えば、スライダの位置がｘ（０≦ｘ≦１）である場合、第２早送り速度ｖ２と当該イベントに関するシーンの再生速度ｖｅの速度比ｒ＝ｖ２／ｖｅは、ｒ＝１＋ｘであってもよい。一般には、ｆ（０）＝０を満たす単調増加関数ｆ（ｘ）を用いて、ｒ＝１＋ｆ（ｘ）により速度比を定めてよい。本例の場合、ハンド速度比調整スライダＤＰ２３ａは、「０．２５」の位置に設定されており、ハンドイベントがユーザにより選択され、ハンドイベントに関するシーンの再生速度ｖｅとその他のシーンの再生速度（第２早送り速度ｖ２）との速度比は、例えばｒ＝ｖ２／ｖｅ＝１．２５であってよい。速度比受付部２３は、動画のフレームに付与されたイベントタグ（又はフレームとイベントの対応表）を参照して、フレームとイベントの合致度及びスライダの位置に基づいて、ユーザの選択に係るイベントに対応するフレーム群の再生速度とその他のシーンの再生速度の速度比を算出してもよい。
【００５７】
速度比受付部２３（動作キューＤＰ２１、停止キューＤＰ２２、ハンドキューＤＰ２３及び人物キューＤＰ２４にそれぞれ含まれるスライダ）によれば、選択されたイベントに関するシーンの再生速度とその他のシーンの再生速度の速度比が設定され、注目度に応じてイベントに関するシーンの再生速度を調整することができる。なお、複数のスライダが０でない位置に設定された場合については、後に詳細に説明する。
【００５８】
第１早送り速度設定スライダＤＰ３０は、動画の第１再生速度を受け付ける再生速度受付部２０として機能する。本例の場合、第１早送り速度設定スライダＤＰ３０は、「×１０．０」の位置に設定されており、第１早送り速度ｖ１が通常の再生速度の１０倍の速度であることを表している。仮に、通常の再生速度が１秒間に３０フレーム表示する速度である場合、その１０倍の第１早送り速度ｖ１は、０．１秒間に３０フレームを表示（又は当該３０フレームのうちから選択された数フレームを表示）する速度である。この場合、動画表示制御部２１ａは、通常再生の場合に表示される３０フレームのうちから３フレームを抜き出して、１秒間に当該３フレームを表示することで、第１早送り速度ｖ１での動画表示を行ってもよい。
【００５９】
動画表示制御部２１ａは、動画の長さ及び第１再生速度ｖ１に基づいて算出される全体の再生時間Ｔで動画が表示されるように、第２フレーム群を第１再生速度ｖ１よりも速い第２再生速度ｖ２で表示させ、第１フレーム群を第２再生速度ｖ２よりも遅い再生速度ｖｅで表示させる。
【００６０】
仮に動画の長さが１０分である場合に、第１早送り速度設定スライダＤＰ３０により、第１早送り速度ｖ１が通常の再生速度の１０倍の速度として設定されると、全体の再生時間Ｔは１分である。この場合、動画表示制御部２１ａは、動画が全体として１分で再生されるように、第２フレーム群（非イベント区間の第１例ＤＰ１０ａに対応するフレーム群）を第２早送り速度ｖ２で表示し、第１フレーム群（ハンドイベント区間の第１例ＤＰ１１ａに対応するフレーム群）を第２早送り速度ｖ２よりも遅い速度ｖｅで表示させる。このように、再生速度受付部２０によれば、第１再生速度（第１早送り速度）の設定に応じて全体の再生時間が定められ、設定された全体の再生時間内に収まるように、選択されたイベントに関するシーンが相対的に遅く表示され、その他のシーンは相対的に速く表示される。そのため、予め定めた時間内に、ユーザが注目するシーンの詳細を把握でき、その他のシーンの概要を把握することができる。
【００６１】
再生スライダＤＰ４０は、スライダ表示制御部２１ｃによって表示されるスライダであり、動画の表示に伴って目盛ＤＰ３に沿って移動し、動画の再生速度の変化に関わらず一定速度で移動するように表示される。動画を再生しなければ動きが把握できない再生スライダＤＰ４０の移動速度を一定とし、動画を再生しなくとも全容が把握できる目盛ＤＰ３によって再生速度の変化を表すことで、動画を再生しなくとも選択されたイベントに関するシーンとその他のシーンの再生速度の差を把握することができる。
【００６２】
なお、図４に示す表示画面ＤＰの第１例や、その他の図面に示す表示画面ＤＰは例示であり、表示内容は任意に変更できる。例えば、イベント選択受付部２２及び速度比受付部２３として機能する動作キューＤＰ２１、停止キューＤＰ２２、ハンドキューＤＰ２３及び人物キューＤＰ２４以外に、動作イベント、停止イベント、ハンドイベント及び人物イベント以外のイベントの選択や速度比を受け付けるキューが表示されてもよい。また、各キューに含まれるスライダの位置は、複数のユーザの使用履歴に基づき算出される平均値にそれぞれ初期設定されてもよい。
【００６３】
図５は、本発明の実施形態に係る表示制御装置１０により実行される動画表示処理のフローチャートである。動画表示処理は、動画取得部２５によって、動画記憶部３０より動画が取得された後に行われる処理である。動画は、イベントと関連付けられたフレームの集合であるイベントフレーム群を含むものである。
【００６４】
はじめに、イベント選択受付部２２（動作キューＤＰ２１、停止キューＤＰ２２、ハンドキューＤＰ２３及び人物キューＤＰ２４にそれぞれ含まれるスライダ）は、１又は複数のイベントの選択をユーザより受け付ける（Ｓ１０）。１又は複数のイベントの選択は、選択に係るイベントに関するキューのスライダを０より大きい位置に設定することで行われる。
【００６５】
表示制御装置１０は、選択に係るイベントに関するシーンとその他のシーンの割合ｐを算出する（Ｓ１１）。表示制御装置１０は、第１フレーム群のフレーム数を動画全体のフレーム数で割ることで、選択に係るイベントに関するシーンとその他のシーンの割合ｐを算出してよい。図４に示す例のように、ハンドイベントが選択された場合、ハンドイベントフレーム群ＭＶ１１に含まれるフレーム数を動画全体のフレーム数であった値が、選択に係るイベントに関するシーンとその他のシーンの割合ｐとなる。
【００６６】
再生速度受付部２０（第１早送り速度設定スライダＤＰ３０）は、動画の第１早送り速度ｖ１（第１再生速度）を受け付ける（Ｓ１２）。表示制御装置１０は、第１早送り速度ｖ１と動画の長さに基づいて、全体の再生時間Ｔを算出する（Ｓ１３）。具体的には、動画の長さを動画に含まれるフレーム数Ｆで表し、第１早送り速度ｖ１をフレーム毎秒の単位で表すとき、再生時間Ｔ［秒］は、Ｔ＝Ｆ／ｖ１で算出される。
【００６７】
さらに、速度比受付部２３（動作キューＤＰ２１、停止キューＤＰ２２、ハンドキューＤＰ２３及び人物キューＤＰ２４にそれぞれ含まれるスライダ）は、第１フレーム群の再生速度ｖｅと第２フレーム群の再生速度ｖ２との１又は複数の速度比ｒを受け付ける。すなわち、速度比受付部２３は、選択に係るイベントに関するシーンの再生速度ｖｅと第２早送り速度ｖ２の速度比ｒを、スライダの位置の設定によって受け付ける。
【００６８】
表示制御装置１０は、選択に係るイベントに関するシーンとその他のシーンの割合ｐ、全体の再生時間Ｔ及び選択に係るイベントに関するシーンの再生速度ｖｅと第２早送り速度ｖ２の速度比ｒに基づいて、イベントに関するシーンの再生速度ｖｅと第２早送り速度ｖ２を算出する（Ｓ１５）。具体的には、動画全体のフレーム数をＦと表すとき、Ｆｐ／ｖｅ＋Ｆ（１−ｐ）／ｖ２＝Ｔという第１式と、ｒ＝ｖ２／ｖｅという第２式の連立方程式を解くことで、イベントに関するシーンの再生速度ｖｅと第２早送り速度ｖ２を算出してもよい。なお、解は、ｖ２＝（Ｆｐｒ＋Ｆ（１−ｐ））／Ｔ、ｖｅ＝（Ｆｐｒ＋Ｆ（１−ｐ））／Ｔｒとなるため、これらの解に数値を代入することによりイベントに関するシーンの再生速度ｖｅと第２早送り速度ｖ２を算出してもよい。また、表示制御装置１０は、イベントに関するシーンの再生速度と第２早送り速度が連続的に変化するように、イベントに関するシーンの再生速度ｖｅと第２早送り速度ｖ２を算出してもよい。例えば、イベントに関するシーンが表示される時、第２早送り速度ｖ２からガウシアンに従って徐々に再生速度を減少させて、イベントに関するシーンの表示が終わる時、ガウシアンに従って徐々に再生速度を増大させるようにしてもよい。
【００６９】
目盛表示制御部２１ｂは、算出された動画の再生速度に応じて、目盛間隔を算出する（Ｓ１６）。例えば、図４に示す例の場合、目盛表示制御部２１ｂは、非イベント区間の第１例ＤＰ１０ａの目盛間隔Ｌ１と、ハンドイベント区間の第１例ＤＰ１１ａの目盛間隔Ｌ２との関係が、Ｌ２／Ｌ１＝ｒ（速度比）となるように目盛間隔を算出してよい。そして、目盛表示制御部２１ｂは、算出された不等間隔の目盛間隔で目盛ＤＰ３を表示する（Ｓ１７）。
【００７０】
エフェクト表示制御部２１ｄは、動画の再生速度の変化を可視化したエフェクトを、目盛に沿って表示させる（Ｓ１８）。エフェクト表示制御部２１ｄは、算出された動画の再生速度に応じて、エフェクトの表示態様（例えばエフェクトの濃さ）を変化させてもよい。
【００７１】
動画表示制御部２１ａは、イベントフレーム群のうちイベント選択受付部２２により受け付けた選択に係る１又は複数のイベントに関連付けられた第１フレーム群の再生速度が、第１フレーム群以外の第２フレーム群の再生速度よりも遅くなるように動画を表示させる（Ｓ１９）。すなわち、動画表示制御部２１ａは、動画のうち選択に係るイベントに関するシーンを再生速度ｖｅで動画表示画面ＤＰ１に表示し、その他のシーンを再生速度ｖ２で動画表示画面ＤＰ１に表示させる。
【００７２】
スライダ表示制御部２１ｃは、動画の表示に伴って目盛に沿って移動するスライダ（再生スライダＤＰ４０）を、動画の再生速度の変化に関わらず一定速度で移動するように表示させる（Ｓ２０）。以上により、動画表示処理は終了する。なお、動画表示処理に含まれる処理の内容や順序は、図５に示したものに限られない。例えば、イベント選択受付部２２による１又は複数のイベントの選択（Ｓ１０）と、速度比受付部による１又は複数の速度比の受付（Ｓ１４）とは、同時に行われてもよい。
【００７３】
本実施形態に係る表示制御装置１０によれば、動画を構成するフレームにイベントが関連付けられていることで、動画からユーザの注目するシーンを選び出すことができる。そして、ユーザの選択に係る１又は複数のイベントに関連付けられた第１フレーム群が、その他のフレーム群である第２フレーム群よりも遅く表示されることで、ユーザが注目するシーンの詳細を把握でき、その他のシーンの概要を把握することができる。
【００７４】
図６は、本発明の実施形態に係る表示制御装置１０により表示される表示画面ＤＰの第２例を示す図である。表示画面ＤＰの第２例は、図４に示す表示画面ＤＰの第１例と比較して、ハンド速度比調整スライダＤＰ２３ａの位置と、目盛ＤＰ３の目盛間隔と、ハンドイベントのエフェクトＤＰ１１ｅと、について相違する。その他の点について、表示画面ＤＰの第２例は、図４に示す表示画面ＤＰの第１例と同様の構成を有する。以下では、表示画面ＤＰの第２例について、図４に示す表示画面ＤＰの第１例との相違点について説明する。
【００７５】
図６に示す表示画面ＤＰの第２例では、図４に示す表示画面ＤＰの第１例の場合と比較して、速度比が変更されている。本例のハンド速度比調整スライダＤＰ２３ａは、「０．５９」の位置に設定されており、ハンドイベントがユーザにより選択され、ハンドイベントに関するシーンの再生速度ｖｅとその他のシーンの再生速度（第２早送り速度ｖ２）との速度比は、ｒ＝ｖ２／ｖｅ＝１．５９であってよい。
【００７６】
速度比受付部２３により受け付けた１又は複数の速度比が変更された場合に、目盛表示制御部２１ｂは、１又は複数の速度比の変更に応じて目盛間隔が変化するように目盛ＤＰ３を表示させる。具体的には、本例の目盛ＤＰ３は、動画の再生順に、非イベント区間の第２例ＤＰ１０ｂ、ハンドイベント区間の第２例ＤＰ１１ｂ、非イベント区間の第２例ＤＰ１０ｂ及びハンドイベント区間の第２例ＤＰ１１ｂを含む。ハンドイベントに関するシーンの再生速度ｖｅとその他のシーンの再生速度（第２早送り速度ｖ２）との速度比が増大するように変更されたことに応じて、ハンドイベント区間の第２例ＤＰ１１ｂは、図４に示すハンドイベント区間の第１例ＤＰ１１ａと比較して、目盛間隔が広くなるように変化している。一方、非イベント区間の第２例ＤＰ１０ｂは、図４に示す非イベント区間の第１例ＤＰ１０ａと比較して、目盛間隔が狭くなるように変化している。このように、速度比の変更に応じて目盛間隔を変化させることで、動画を再生しなくとも、選択されたイベントに関するシーンとその他のシーンの再生速度の差が、速度比の変更に応じてどのように変化するか直感的に把握することができる。
【００７７】
エフェクト表示制御部２１ｄは、選択されたイベントに関するシーンの再生速度ｖｅの絶対値に応じて、エフェクトの濃さを変化させている。本例の場合、第１早送り速度ｖ１は図４に示す表示画面ＤＰの第１例の場合と同じだが、ハンドイベントに関するシーンの再生速度ｖｅとその他のシーンの再生速度（第２早送り速度ｖ２）との速度比ｒが増大しているため、選択されたイベントに関するシーンの再生速度ｖｅの絶対値が増大している。エフェクト表示制御部２１ｄは、選択されたイベントに関するシーンの再生速度ｖｅの絶対値の変化に応じて、本例のハンドイベントのエフェクトＤＰ１１ｅを、図４に示すハンドイベントのエフェクトＤＰ１１ｅよりも最大濃さがより濃くなるように表示させている。これにより、ユーザは、動画を再生しなくとも、選択されたイベントに関するシーンとその他のシーンの絶対的な再生速度の差を把握することができる。
【００７８】
図７は、本発明の実施形態に係る表示制御装置１０により実行される速度比変更処理のフローチャートである。速度比受付部２３（動作キューＤＰ２１、停止キューＤＰ２２、ハンドキューＤＰ２３及び人物キューＤＰ２４にそれぞれ含まれるスライダ）は、１又は複数の速度比ｒの変更を受け付ける（Ｓ３０）。目盛表示制御部２１ｂは、１又は複数の速度比ｒの変更に応じて目盛間隔が変化するように目盛ＤＰ３を表示させる（Ｓ３１）。また、エフェクト表示制御部２１ｄは、１又は複数の速度比ｒの変更に応じてエフェクトの表示態様が変化するように目盛ＤＰ３に沿ってエフェクトを表示させる（Ｓ３２）。
【００７９】
表示制御装置１０は、速度比ｒの変更に応じて、選択されたイベントに関するシーンの再生速度ｖｅ（第１フレーム群の再生速度）と、その他のシーンの再生速度ｖ２（第２フレーム群の再生速度である第２早送り速度ｖ２）と、を修正する（Ｓ３３）。以上により、速度比変更処理は終了する。
【００８０】
図８は、本発明の実施形態に係る表示制御装置１０により実行される第１早送り速度変更処理のフローチャートである。再生速度受付部２０は、第１早送り速度ｖ１の変更を受け付ける（Ｓ４０）。例えば、図４に示す表示画面ＤＰの第１例及び図６に示す表示画面ＤＰの第２例では、第１早送り速度ｖ１は、通常の再生速度の１０倍であったが、再生速度受付部２０は、第１早送り速度ｖ１を通常の再生速度の１０倍以外の速度に変更する。
【００８１】
再生速度受付部２０により受け付けた第１再生速度（第１早送り速度ｖ１）が変更された場合に、目盛表示制御部２１ｂは、第１再生速度の変化に関わらず、目盛間隔が変化しないように目盛ＤＰ３を表示させる（Ｓ４１）。第１早送り速度ｖ１が変更されると、選択されたイベントに関するシーンの再生速度ｖｅと、その他のシーンの第２早送り速度ｖ２とが変更される。しかしながら、選択されたイベントに関するシーンの再生速度ｖｅと、その他のシーンの第２早送り速度ｖ２との速度比ｒが変更されない場合、選択されたイベントに関するシーンの再生速度ｖｅと、その他のシーンの第２早送り速度ｖ２との相対的な速度差は変わらないため、目盛表示制御部２１ｂは、目盛間隔を維持する。このように、第１再生速度が変更された場合に目盛間隔を変化させないことで、動画全体の再生時間が変更された場合であっても、選択されたシーンの再生速度とその他のシーンの再生速度の速度比が一定であることを直感的に把握することができる。
【００８２】
表示制御装置１０は、変更された第１早送り速度ｖ１と動画に含まれるフレーム数に基づいて、動画全体の再生時間Ｔを修正する（Ｓ４２）。そして、表示制御装置１０は、選択されたイベントに関するシーンの再生速度ｖｅと、その他のシーンの第２早送り速度ｖ２とを修正する（Ｓ４３）。以上により、第１早送り速度変更処理は終了する。
【００８３】
図９は、本発明の実施形態に係る表示制御装置１０により表示される表示画面ＤＰの第３例を示す図である。表示画面ＤＰの第３例は、図６に示す表示画面ＤＰの第２例と比較して、ハンド速度比調整スライダＤＰ２３ａ及び人物速度比調整スライダＤＰ２４ａの位置と、目盛ＤＰ３の目盛間隔と、ハンドイベントのエフェクトＤＰ１１ｅ及び人物イベントのエフェクトＤＰ１２ｅと、について相違する。その他の点について、表示画面ＤＰの第３例は、図６に示す表示画面ＤＰの第２例と同様の構成を有する。以下では、表示画面ＤＰの第３例について、図６に示す表示画面ＤＰの第２例との相違点について説明する。
【００８４】
図９に示す表示画面ＤＰの第３例では、図６に示す表示画面ＤＰの第２例の場合と比較して、人物イベントの選択が追加されている。本例の人物速度比調整スライダＤＰ２４ａは「１．００」の位置に設定されており、人物イベントがユーザにより選択されている。また、ハンド速度比調整スライダＤＰ２３ａは「０．５９」の位置に設定されており、ハンドイベントがユーザにより選択されている。また、ハンド速度比調整スライダＤＰ２３ａ及び人物速度比調整スライダＤＰ２４ａの位置は、ハンドイベントに関するシーンの再生速度ｖｅ１及び人物イベントに関するシーンの再生速度ｖｅ２と、その他のシーンの再生速度（第２早送り速度ｖ２）との速度比を定めている。
【００８５】
イベントの選択が追加され、速度比受付部２３により受け付けた１又は複数の速度比が変更された場合に、目盛表示制御部２１ｂは、１又は複数の速度比の変更に応じて目盛間隔が変化するように目盛ＤＰ３を表示させる。具体的には、本例の目盛ＤＰ３は、動画の再生順に、非イベント区間の第３例ＤＰ１０ｃ、ハンドイベント区間の第３例ＤＰ１１ｃ、非イベント区間の第３例ＤＰ１０ｃ、人物イベント区間ＤＰ１２、非イベント区間の第３例ＤＰ１０ｃ及びハンドイベント区間の第２例ＤＰ１１ｂを含む。これらの各区間は、図３に示す動画ＭＶに含まれるフレーム群に対応している。人物イベントの選択が追加されたことに応じて、人物イベント区間ＤＰ１２が追加されている。また、ハンドイベントに関するシーンの再生速度ｖｅ１及び人物イベントに関するシーンの再生速度ｖｅ２とその他のシーンの再生速度（第２早送り速度ｖ２）との速度比が変更されたことに応じて、ハンドイベント区間の第３例ＤＰ１１ｃは、図６に示すハンドイベント区間の第２例ＤＰ１１ｂと比較して、目盛間隔が狭くなるように変化している。また、非イベント区間の第３例ＤＰ１０ｃは、図４に示す非イベント区間の第１例ＤＰ１０ａ及び図６に示す非イベント区間の第２例ＤＰ１０ｂと比較して、いずれの場合よりも目盛間隔が狭くなるように変化している。このように、イベント選択の追加と、追加に伴う速度比の変更に応じて目盛間隔を変化させることで、動画を再生しなくとも、選択されたイベントに関するシーンとその他のシーンの再生速度の差が、イベントの追加と、追加に伴う速度比の変更に応じてどのように変化するか直感的に把握することができる。
【００８６】
エフェクト表示制御部２１ｄは、ハンドイベントに関するシーンの再生速度ｖｅ１及び人物イベントに関するシーンの再生速度ｖｅ２の絶対値に応じて、エフェクトの濃さを変化させている。本例の場合、第１早送り速度ｖ１は図６に示す表示画面ＤＰの第２例の場合と同じだが、ハンドイベントに関するシーンの再生速度ｖｅ１及び人物イベントに関するシーンの再生速度ｖｅ２とその他のシーンの再生速度（第２早送り速度ｖ２）との速度比が変化しているため、ハンドイベントに関するシーンの再生速度ｖｅ１の絶対値が図６に示す表示画面ＤＰの第２例の場合と比較して変化している。エフェクト表示制御部２１ｄは、ハンドイベントに関するシーンの再生速度ｖｅ１及び人物イベントに関するシーンの再生速度ｖｅ２の絶対値に応じて、人物イベントのエフェクトＤＰ１２ｅとハンドイベントのエフェクトＤＰ１１ｅを表示させている。これにより、ユーザは、動画を再生しなくとも、選択されたイベントに関するシーンとその他のシーンの絶対的な再生速度の差を把握することができる。
【００８７】
図１０は、本発明の実施形態に係る表示制御装置１０により実行される選択イベント追加処理のフローチャートである。イベント選択受付部２２（動作キューＤＰ２１、停止キューＤＰ２２、ハンドキューＤＰ２３及び人物キューＤＰ２４にそれぞれ含まれるスライダ）は、新たなイベントの選択を受け付ける（Ｓ５０）。また、速度比受付部２３（動作キューＤＰ２１、停止キューＤＰ２２、ハンドキューＤＰ２３及び人物キューＤＰ２４にそれぞれ含まれるスライダ）は、選択に係るイベントに関するシーンの再生速度ｖｅと第２早送り速度ｖ２の１又は複数の速度比ｒを受け付ける（Ｓ５１）。目盛表示制御部２１ｂは、１又は複数の速度比ｒの変更に応じて目盛間隔が変化するように目盛ＤＰ３を表示させる（Ｓ５２）。エフェクト表示制御部２１ｄは、１又は複数の速度比ｒの変更に応じてエフェクトの表示態様が変化するように目盛ＤＰ３に沿ってエフェクトを表示させる（Ｓ５３）。
【００８８】
表示制御装置１０は、１又は複数の速度比ｒの変更に応じて、選択されたイベントに関するシーンの再生速度ｖｅ（第１フレーム群の再生速度）と、その他のシーンの再生速度ｖ２（第２フレーム群の再生速度である第２早送り速度ｖ２）と、を修正する（Ｓ５４）。以上により、選択イベント追加処理は終了する。
【００８９】
なお、以上の説明において、ハンドイベントと人物イベントは、互いに分離しているものとしたが、一般に、複数のイベントが１枚又は１群のフレームに関連付けられてもよい。その場合、表示制御装置１０は、選択に係る複数のイベントの関連付けが重なるほど、フレーム又はフレーム群の再生速度が相対的に遅くなるように制御してよい。フレームとイベントの関連付けを、フレームとイベントの合致度の関連付けにより行う場合、１枚又は１群のフレームに複数のイベントに対する合致度が関連付けられてよい。
【００９０】
また、以上の説明では、イベント選択受付部２２によりユーザが注目する対象や動作の選択をユーザから受け付ける場合について説明したが、イベント選択受付部２２は、ユーザが注目しない対象や動作の選択をユーザから受け付けてもよい。イベント選択受付部２２によって、ユーザが注目しない対象や動作の選択を受け付ける場合、動画表示制御部２１ａは、イベントフレーム群のうちイベント選択受付部２２により受け付けた選択に係る１又は複数のイベントに関連付けられた第１フレーム群の再生速度が、第１フレーム群以外の第２フレーム群の再生速度よりも速くなるように動画を表示させてよい。ユーザが注目しない対象や動作の選択をユーザから受け付け、ユーザの選択に係る１又は複数のイベントに関連付けられた第１フレーム群が、その他のフレーム群である第２フレーム群よりも速く表示されることによっても、ユーザは、注目するシーンの詳細を把握することができ、その他のシーンの概要を把握することができる。
【００９１】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００９２】
１０…表示制御装置、１１…ＣＰＵ、１２…ＲＡＭ、１３…ＲＯＭ、１４…通信インターフェース、１５…入力部、１６…表示部、２０…再生速度受付部、２１…表示制御部、２１ａ…動画表示制御部、２１ｂ…目盛表示制御部、２１ｃ…スライダ表示制御部、２１ｄ…エフェクト表示制御部、２２…イベント選択受付部、２３…速度比受付部、２５…動画取得部、３０…動画記憶部、ＤＰ…表示画面、ＤＰ１…動画表示画面、ＤＰ２…動画選択画面、ＤＰ１０ａ…非イベント区間の第１例、ＤＰ１０ｂ…非イベント区間の第２例、ＤＰ１０ｃ…非イベント区間の第３例、ＤＰ１１ａ…ハンドイベント区間の第１例、ＤＰ１１ｂ…ハンドイベント区間の第２例、ＤＰ１１ｃ…ハンドイベント区間の第３例、ＤＰ１１ｅ…ハンドイベントのエフェクト、ＤＰ１２…人物イベント区間、ＤＰ１２ｅ…人物イベントのエフェクト、ＤＰ２１…動作キュー、ＤＰ２２…停止キュー、ＤＰ２３…ハンドキュー、ＤＰ２３ａ…ハンド速度比調整スライダ、ＤＰ２４…人物キュー、ＤＰ２４ａ…人物速度比調整スライダ、ＤＰ３０…第１早送り速度設定スライダ、ＤＰ４０…再生スライダ、ＭＶ…動画、ＭＶ１０…非イベントフレーム群、ＭＶ１１…ハンドイベントフレーム群、ＭＶ１２…人物イベントフレーム群、ＴＧ１…ハンドタグ、ＴＧ２…人物タグ。
【図１】
2018110298.tif 000003
【図２】
2018110298.tif 000004
【図３】
2018110298.tif 000005
【図４】
2018110298.tif 000006
【図５】
2018110298.tif 000007
【図６】
2018110298.tif 000008
【図７】
2018110298.tif 000009
【図８】
2018110298.tif 000010
【図９】
2018110298.tif 000011
【図１０】
2018110298.tif 000012
【国際調査報告】
2018110298.tif 000013
2018110298.tif 000014
2018110298.tif 000015
2018110298.tif 000016